(57)【要約】【課題】従来の超音波顕微鏡においては、試料をおおよその位置に配置してスキャンすることにより超音波画像を抽出し、この画像より試料の位置を確認し、その上で、Ｘ軸、Ｙ軸方向に試料を移動して、試料の中心を調整した上で正規の画像を撮っているために、１つの画像を得るのに作業が繁雑になり、時間がかかるという問題があった。【解決手段】支持台１の上にプレパラート２を載置し、このプレパラート２の上に試料３を載置し、この試料３の周囲を超音波伝導媒体４で覆い、この超音波伝導媒体４に超音波振動子５を接触させ、又、支持台１のプレパラート２の下部にカメラホルダー６を装着し、このカメラホルダー６は試料３の下方に垂直通路６ａを形成し、又、垂直通路６ａから直角に側部通路６ｂを形成し、又、垂直通路６ａの下端にほぼ４５度に鏡７が装着され、さらに、側部通路６ｂの出口側にＣＣＤカメラ８が装着されている。【選択図】　　　　図１
2004061313.tif 000002
【特許請求の範囲】
【請求項１】
支持台に載置したプレパラート上に試料を載置し、該試料の周囲に超音波伝導媒体を載置し、該超音波伝導媒体に超音波振動子の端部を接触させて、該超音波振動子から前記試料に超音波を照射し、その反射波より前記試料の超音波像を検出する超音波顕微鏡において、前記支持台の下部にカメラホルダーを装着し、該カメラホルダーの前記試料の下部に垂直通路が形成され、該垂直通路から直角方向に側部通路を形成し、前記垂直通路の下端に鏡を装着し、前記側部通路の出口にＣＣＤカメラを装着してなり、該ＣＣＤカメラで前記鏡を介して前記試料を撮影し、前記試料の位置を検出することを特徴とする超音波顕微鏡の試料位置検出装置。
【請求項２】
前記ＣＣＤカメラの出力をモニター画面に入力して、前記試料位置を検出することを特徴とする請求項１記載の超音波顕微鏡の試料位置検出装置。
【発明の詳細な説明】
【０００１】
【発明が属する技術分野】
本発明は、超音波顕微鏡の試料が超音波振動子の照射位置からずれているかどうかを検出する超音波顕微鏡の試料位置検出装置に関するものである。
【０００２】
【従来の技術】
従来、支持台の上にプレパラートを載置し、このプレパラートの上に試料を載置し、この試料の周囲を超音波伝導媒体で覆い、この超音波伝導媒体に超音波振動子を接触させて、この超音波振動子から試料に超音波を照射し、試料からの反射波を超音波振動子で受信し、この受信した信号をモニターで表示して試料の超音波像を撮影するようにした超音波顕微鏡が提案されている。
【０００３】
【発明が解決しようとする課題】
しかしながら、従来の超音波顕微鏡においては、試料をおおよその位置に配置してスキャンすることにより超音波画像を抽出し、この画像より試料の位置を確認し、その上で、Ｘ軸、Ｙ軸方向に試料を移動して、試料の中心を調整した上で正規の画像を撮っているために、１つの画像を得るのに作業が繁雑になり、時間がかかるという問題があった。
【０００４】
【課題を解決しようとする手段】
本発明は、支持台に載置したプレパラート上に試料を載置し、該試料の周囲に超音波伝導媒体を載置し、該超音波伝導媒体に超音波振動子の端部を接触させて、該超音波振動子から前記試料に超音波を照射し、その反射波より前記試料の超音波像を検出する超音波顕微鏡において、前記支持台の下部にカメラホルダーを装着し、該カメラホルダーの前記試料の下部に垂直通路が形成され、該垂直通路から直角方向に側部通路を形成し、前記垂直通路の下端に鏡を装着し、前記側部通路の出口にＣＣＤカメラを装着してなり、該ＣＣＤカメラで前記鏡を介して前記試料を撮影し、前記試料の位置を検出するものである。
【０００５】
【発明の実施の形態】
本発明では、支持台の下部にカメラホルダーを装着し、カメラホルダーの垂直通路の下端に鏡を装着し、側部通路の出口にＣＣＤカメラを装着し、このＣＣＤカメラで支持台に載置した試料をプレパラートを通して撮影することにより、ＣＣＤカメラの撮影位置を試料の位置に設定することにより、試料を撮影した像により、試料のずれが簡単に検出され、この試料の位置ずれをプレパラートを移動することにより、位置合わせが簡単にでき、作業効率が向上する。
【０００６】
【実施例】
図１は本発明の実施例の超音波顕微鏡の試料の位置合わせ検出装置の構成図で、支持台１の上にプレパラート２を載置し、このプレパラート２の上に試料３を載置し、この試料３の周囲を超音波伝導媒体４で覆い、この超音波伝導媒体４に超音波振動子５を接触させ、又、支持台１のプレパラート２の下部にカメラホルダー６を装着し、このカメラホルダー６は試料３の下方に垂直通路６ａを形成し、又、垂直通路６ａから直角に側部通路６ｂを形成し、又、垂直通路６ａの下端にほぼ４５度に鏡７が装着され、さらに、側部通路６ｂの出口側にＣＣＤカメラ８が装着されている。
【０００７】
このように構成された本実施例の超音波顕微鏡の試料の位置合わせ装置では、本実施例のように、プレパラート２の下部から試料３の位置を鏡７を介して撮影することにより、簡単に試料３が正しい位置からずれているかどうかを検出することができ、このＣＣＤカメラ６で位置がずれている試料３を撮影しながら試料３をプレパラート２とともに正しい位置に移動することにより、簡単に試料３の位置を正しい位置に移動することができ、作業が非常に簡単になり、又、ＣＣＤカメラ８の撮影を鏡７を介して行うことにより、ＣＣＤカメラ７の熱が直接試料３に伝達することがなく、試料３の温度上昇を防ぐことができる。
【０００８】
図２は本発明の実施例の超音波顕微鏡の試料の位置合わせ検出装置の構成図で、１は支持台、２はプレパラート、３は試料、４は超音波伝導媒体、５は超音波振動子、６はカメラホルダー、７は鏡、８はＣＣＤカメラであり、これらの構成は上記実施例と同じであるので、説明は省略するが、本実施例では、ＣＣＤカメラ８の出力をモニター９に入力して拡大撮影するものである。
【０００９】
本実施例はこのように構成することにより、試料３の位置をモニター８の拡大画面で見ながら調整作業を行うことができるので、作業性がよくなるという利点がある。
【００１０】
【発明の効果】
以上説明したように、本発明の超音波顕微鏡の試料検出装置では、支持台の下部にカメラホルダーを装着し、カメラホルダーに垂直通路及び側部通路を形成し、垂直通路の下端に鏡を装着し、側部通路の出口にＣＣＤカメラを装着し、支持台に載置した試料をプレパラートを通してＣＣＤカメラで撮影することにより、ＣＣＤカメラの撮影位置を試料の位置に設定することにより、試料を撮影した像により、試料のずれが簡単に検出され、この試料の位置ずれをプレパラートを移動することにより、位置合わせが簡単にでき、作業効率が向上するという利点があり、又、ＣＣＤカメラの出力をモニター画面で表示することにより、さらに、作業性が向上するという利点がある。
【図面の簡単な説明】
【図１】本発明の実施例の超音波顕微鏡の試料検出装置の構成図である。
【図２】本発明の他の実施例の超音波顕微鏡の試料検出装置の構成図である。
【符号の説明】
１　　　　　　　　支持台
２　　　　　　　　プレパラート
３　　　　　　　　試料
４　　　　　　　　超音波伝導媒体
５　　　　　　　　超音波振動子
６　　　　　　　　カメラホルダー
７　　　　　　　　鏡
８　　　　　　　　ＣＣＤカメラ
９　　　　　　　　モニター
【図１】
2004061313.tif 000003
【図２】
2004061313.tif 000004